(57)【特許請求の範囲】
【請求項１】
電子部品を内部の防水空間に内蔵する筐体と、
該筐体を構成する第１部材と該第１部材に隣接し少なくとも一部が前記筐体の外部に露出する第２部材との境界に沿って延設され前記筐体の内部の防水空間と前記筐体の外部とを連通する連通路、及び、該連通路の筐体内部側の開口を覆って設けられ液体を透過せずかつ気体を透過する膜を有する内圧調整機構と、を備え、
前記筐体は、閉じ合わせ可能な第１筐体及び第２筐体を含み、
前記連通路は、筐体外部側の開口が前記第１筐体又は前記第２筐体の閉じ合わせ面とは反対側の面に設けられることを特徴とする、
携帯電子機器。
【請求項２】
前記第２部材は、画像を表示する表示装置の透明部材を含む、
請求項１に記載の携帯電子機器。
【請求項３】
前記筐体の内部に設けられ音響機能を実現する音響装置を備え、
前記連通路は、前記筐体内部側の開口が前記第２部材を挟んで前記音響装置とは反対側に設けられる、
請求項１または請求項２に記載の携帯電子機器。
【請求項４】
電子部品を内部の防水空間に内蔵する筐体と、
該筐体を構成する第１部材と該第１部材に隣接し少なくとも一部が前記筐体の外部に露出する第２部材との境界に沿って延設され前記筐体の内部の防水空間と前記筐体の外部とを連通する連通路、及び、該連通路の筐体内部側の開口を覆って設けられ液体を透過せずかつ気体を透過する膜を有する内圧調整機構と、
前記筐体の内部に設けられ音響機能を実現する音響装置と、を備え、
前記連通路は、前記筐体内部側の開口が前記第２部材を挟んで前記音響装置とは反対側に設けられることを特徴とする、
携帯電子機器。
【請求項５】
電子部品を内部の防水空間に内蔵する筐体と、
該筐体を構成する第１部材と該第１部材に隣接し少なくとも一部が前記筐体の外部に露出する第２部材との境界に沿って延設され前記筐体の内部の防水空間と前記筐体の外部とを連通する連通路、及び、該連通路の筐体内部側の開口を覆って設けられ液体を透過せずかつ気体を透過する膜を有する内圧調整機構と、
表示面に画像を表示する主表示装置と、
前記主表示装置の表示面より小さい表示面に画像を表示する副表示装置とを備え、
前記筐体は、閉じ合わせ可能な第１筐体及び第２筐体を含み、
前記主表示装置は、前記第１筐体又は前記第２筐体の一方に内蔵され該一方の閉じ合わせ面に表示面が露出し、
前記副表示装置は、前記一方に内蔵され該一方の閉じ合わせ面とは反対側の面に表示面が露出し、
前記第２部材は、前記副表示装置の透明部材を含み、
前記連通路は、前記副表示装置の周囲に設けられることを特徴とする、
携帯電子機器。
【発明の詳細な説明】
【技術分野】
【０００１】
本発明は、携帯電子機器及び内圧調整機構に関する。
【背景技術】
【０００２】
従来、防水構造を有した携帯電子機器等の防水機器としては、例えば、筐体内部の密閉性が高いことから、この筐体の内部の気圧と外部の気圧との気圧差の調整を行うために内圧調整機構を備えたものが知られている。このような従来の内圧調整機構として、例えば、特許文献１には、筐体を構成する壁体を貫通し、該筐体の内部と外部とを連通する空気連通路の中間に、撥水性の微多孔構造材を設けた水中及び防水製品の内圧調整機構が開示されている。この内圧調整機構は、微多孔構造材が気体を流通させるが水を流通させないことから、筐体内への水の侵入を防ぎながら筐体内圧を調整し筐体内外の圧力差を解消することができる。
【先行技術文献】
【特許文献】
【０００３】
【特許文献１】特許第２９０９９０６号公報
【発明の概要】
【発明が解決しようとする課題】
【０００４】
ところで、上述のような特許文献１に記載されている水中及び防水製品の内圧調整機構は、例えば、更なる適正な筐体の内圧調整が望まれている。
【０００５】
本発明は、上記の事情に鑑みてなされたものであって、適正に筐体の内圧を調整することができる携帯電子機器及び内圧調整機構を提供することを目的とする。
【課題を解決するための手段】
【０００６】
上述した課題を解決し、目的を達成するために、本発明に係る携帯電子機器は、電子部品を内部の防水空間に内蔵する筐体と、該筐体を構成する第１部材と該第１部材に隣接し少なくとも一部が前記筐体の外部に露出する第２部材との境界に沿って延設され前記筐体の内部の防水空間と前記筐体の外部とを連通する連通路、及び、該連通路の筐体内部側の開口を覆って設けられ液体を透過せずかつ気体を透過する膜を有する内圧調整機構と、を備えることを特徴とする。
【０００７】
また、上記携帯電子機器では、前記筐体は、閉じ合わせ可能な第１筐体及び第２筐体を含み、前記連通路は、筐体外部側の開口が前記第１筐体又は前記第２筐体の閉じ合わせ面とは反対側の面に設けられるものとすることができる。
【０００８】
また、上記携帯電子機器では、前記第２部材は、画像を表示する表示装置の透明部材を含むものとすることができる。
【０００９】
また、上記携帯電子機器では、前記筐体の内部に設けられ音響機能を実現する音響装置を備え、前記連通路は、前記筐体内部側の開口が前記第２部材を挟んで前記音響装置とは反対側に設けられるものとすることができる。
【００１０】
また、上記携帯電子機器では、表示面に画像を表示する主表示装置と、前記主表示装置の表示面より小さい表示面に画像を表示する副表示装置とを備え、前記筐体は、閉じ合わせ可能な第１筐体及び第２筐体を含み、前記主表示装置は、前記第１筐体又は前記第２筐体の一方に内蔵され該一方の閉じ合わせ面に表示面が露出し、前記副表示装置は、前記一方に内蔵され該一方の閉じ合わせ面とは反対側の面に表示面が露出し、前記第２部材は、前記副表示装置の透明部材を含み、前記連通路は、前記副表示装置の周囲に設けられるものとすることができる。
【００１１】
上述した課題を解決し、目的を達成するために、本発明に係る内圧調整機構は、筐体の内部の防水空間と前記筐体の外部とを連通する連通路と、前記連通路の筐体内部側の開口を覆って設けられ液体を透過せずかつ気体を透過する膜とを備え、前記連通路は、前記筐体を構成する第１部材と該第１部材に隣接する第２部材との境界に設けられることを特徴とする。
【発明の効果】
【００１２】
本発明に係る携帯電子機器、内圧調整機構は、適正に筐体の内圧を調整することができる、という効果を奏する。
【図面の簡単な説明】
【００１３】
【図１】図１は、実施形態に係る携帯電子機器の概略構成を示す正面図である。
【図２】図２は、実施形態に係る携帯電子機器の概略構成を示す側面図である。
【図３】図３は、実施形態に係る第１筐体のメインディスプレイ側の正面図である。
【図４】図４は、実施形態に係る第１筐体のサブディスプレイ側の背面図である。
【図５】図５は、図４に示すＡ−Ａ断面図である。
【図６】図６は、実施形態に係る携帯電子機器の調整部を含む部分断面図である。
【発明を実施するための形態】
【００１４】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、携帯電子機器は携帯電話機に限定されるものではなく、例えば、ＰＨＳ（Personal  Handyphone  System）、ＰＤＡ、ポータブルナビゲーション装置、ノートパソコン、ゲーム機等であってもよい。
【００１５】
［実施形態］
図１は、実施形態に係る携帯電子機器の概略構成を示す正面図、図２は、実施形態に係る携帯電子機器の概略構成を示す側面図、図３は、実施形態に係る第１筐体のメインディスプレイ側の正面図、図４は、実施形態に係る第１筐体のサブディスプレイ側の背面図、図５は、図４に示すＡ−Ａ断面図、図６は、実施形態に係る携帯電子機器の調整部を含む部分断面図である。
【００１６】
図１、図２に示す本実施形態の携帯電子機器１は、図５、図６を参照して後述する内圧調整機構としての調整部１００を備えた携帯電話機である。この調整部１００は、防水機器としての携帯電子機器１が備える筐体２の内部の圧力を外部の圧力と同等に調整するための調整弁として機能する。調整部１００が適用される筐体２は、携帯電子機器１の携帯端末としての機能を実現する種々の電子部品３を内部の防水空間１０（図５、図６参照）に内蔵するものである。
【００１７】
具体的には、筐体２は、図１、図２に示すように、閉じ合わせ可能な第１筐体２１及び第２筐体２２を含んで構成される。携帯電子機器１は、筐体２が第１筐体２１と第２筐体２２とで開閉可能に構成された、折り畳み式の携帯電話機である。筐体２は、第１筐体２１の一方側の端部（基端部）と第２筐体２２の一方側の端部（基端部）とがヒンジ部４を介し連結される。筐体２は、図２中に矢印Ｒで示すように、ヒンジ部４の回転軸ＣＬを中心に、第２筐体２２に対し第１筐体２１を開閉することで、閉じ合わせ可能（折り畳み可能）に構成される。
【００１８】
なお、筐体２は、第１筐体２１と第２筐体２２とを閉じ合わせたときのそれぞれの閉じ合わせ面（互いに対向する面）が、第１筐体２１および第２筐体２２の正面２１Ａ、２２Ａであり、正面２１Ａ、２２Ａとは反対側の面が、第１筐体２１および第２筐体２２の背面２１Ｂ、２２Ｂである。筐体２は、ヒンジ部４の回転軸ＣＬの軸方向が第１筐体２１、第２筐体２２の幅方向（短手方向）と同方向となっている。そして、幅方向に直交し、第１筐体２１、第２筐体２２の基端部から先端部に至る方向が長さ方向（長手方向）であり、第１筐体２１、第２筐体２２の正面２１Ａ、２２Ａから背面２１Ｂ、２２Ｂに至る方向が厚み方向である。
【００１９】
携帯電子機器１は、例えば、第１筐体２１と第２筐体２２とが開位置となった状態（図２中実線参照）では、典型的には第２筐体２２がユーザーに把持される。このため、第２筐体２２の把持部分は、閉塞された状態となる一方で、第１筐体２１は露出した状態となる。また、携帯電子機器１は、例えば、第１筐体２１と第２筐体２２とが閉位置となった状態（図２中点線参照）では、典型的には、第１筐体２１が上方側、第２筐体２２が下方側となるように机の上などに載置されるため、第１筐体２１の正面２１Ａ、第２筐体２２の正面２２Ａ、背面２２Ｂが閉塞された状態となる一方で、第１筐体２１の背面２１Ｂが露出した状態となる。
【００２０】
携帯電子機器１は、画像を表示する表示装置５、操作を受け付ける操作部６、携帯電子機器１の通話時に音声を受け取るマイク７、携帯電子機器１の通話時に音声を発するレシーバ８、携帯電子機器１の各部を制御する制御ユニット９等を備え、これらが第１筐体２１または第２筐体２２にそれぞれ搭載される。ここでは、携帯電子機器１は、表示装置５、レシーバ８が第１筐体２１に搭載され、操作部６、マイク７、制御ユニット９が第２筐体２２に搭載される。これらは、基本的には第１筐体２１または第２筐体２２の内部に内蔵され、そのうちの幾つかは、少なくとも一部が筐体２の外部に露出する露出部品である。
【００２１】
表示装置５は、待ち受け画像、メニュー画像等の種々の画像を表示するものであり、例えば、液晶ディスプレイ（ＬＣＤ、Liquid  Crystal  Display）や、有機ＥＬ（Organic  Electro−Luminescence）パネル等を有する表示パネルである。なお、この表示装置５の構成については、後でより詳細に説明する。
【００２２】
操作部６は、第２筐体２２に内蔵され、正面２２Ａから各種操作キー６１が露出する露出部品である。操作キー６１は、例えば、通話相手の電話番号やメール作成時等に文字を入力するための操作キー、表示装置５に表示されるメニューの選択及び決定や画面のスクロール等を容易に実行するための方向及び決定キー等を含む。
【００２３】
マイク７、レシーバ８は、携帯電子機器１の音響機能を実現する音響装置であり、振動板等を含んで構成される。マイク７、レシーバ８は、筐体２の内部に設けられる。マイク７は、第２筐体２２内部の長さ方向先端部側、すなわち、ヒンジ部４から離間し側の端部に内蔵される。マイク７は、第２筐体２２の正面２２Ａに形成される開口と対向する位置に位置決めされる。レシーバ８は、第１筐体２１内部の長さ方向先端部側、すなわち、ヒンジ部４から離間し側の端部に内蔵される。レシーバ８は、第１筐体２１の正面２１Ａに形成される開口と対向する位置に位置決めされる。
【００２４】
制御ユニット９は、第２筐体２２に内蔵され、携帯電子機器１全体を制御可能なメイン制御基板等を含んで構成される。すなわち、制御ユニット９は、例えば、携帯電子機器１の全体的な動作を統括的に制御するマイクロプロセッサユニット（ＭＰＵ：Micro  Processing  Unit）等の処理部と共に、アプリケーションのプログラムやデータが保存されている記憶部、基地局によって割り当てられるチャネルを介し基地局との間でＣＤＭＡ方式などによる無線信号回線を確立し、基地局との間で電話通信及び情報通信を行う通信部等を含んで構成される。
【００２５】
そして、本実施形態の表示装置５は、図３、図４、図５に示すように、表示面５１ａに画像を表示する主表示装置としてのメインディスプレイ５１と、表示面５１ａより小さい表示面５２ａに画像を表示する副表示装置としてのサブディスプレイ５２とを含んで構成される。メインディスプレイ５１は、第１筐体２１に内蔵され正面２１Ａから表示面５１ａが露出する露出部品であり、表示面５１ａが後述するフロントケース２３Ａ側に露出する。メインディスプレイ５１は、表示面５１ａが第１筐体２１の正面２１Ａの略全面にわたって設けられる。サブディスプレイ５２は、第１筐体２１に内蔵され背面２１Ｂから表示面５２ａが露出する露出部品であり、表示面５２ａが後述するリアケース２３Ｂ側に露出する。サブディスプレイ５２は、表示面５２ａが第１筐体２１の背面２１Ｂの略中央に設けられる。
【００２６】
例えば、サブディスプレイ５２は、図５に示すように、本体部材５３とカバー部材５４とを含んで構成される。本体部材５３は、サブディスプレイ５２において画像を表示する本体部であり、サブディスプレイ５２全体を制御可能なサブ制御基板等を含んで構成される。カバー部材５４は、本体部材５３の厚み方向前面側に配置されこの本体部材５３を保護する部材である。カバー部材５４は、本体部材５３にて表示される画像を視認可能なように、ガラスやプラスチック等の透明部材により構成される。サブディスプレイ５２は、このカバー部材５４の表面が実質的な表示面５２ａとなる。メインディスプレイ５１も同様に本体部材５５とカバー部材５６（図３参照）とを含んで構成される。
【００２７】
ここで、防水機器としての携帯電子機器１は、筐体２が防水構造を有する。すなわち、第１筐体２１は、第１筐体２１を構成する部材同士の隙間、第１筐体２１の外部に露出して組み付けられるメインディスプレイ５１、サブディスプレイ５２と第１筐体２１を構成する部材との隙間等が水密構造となっており、図５に示すように、内部に密閉された防水空間１０が形成される。同様に、第２筐体２２は、第２筐体２２を構成する部材同士の隙間、第２筐体２２の外部に露出して組み付けられる操作部６の操作キー６１と第２筐体２２を構成する部材との隙間等が水密構造となっており、内部に密閉された防水空間（図示省略）が形成される。第１筐体２１、第２筐体２２は、例えば、上記隙間がシール部材や接着剤等により封止され、これにより、防水空間１０等が密封される。筐体２は、携帯電子機器１の携帯端末としての機能を実現する種々の電子部品３を内部の防水空間１０に内蔵し、電子部品３を防水する。携帯電子機器１は、防水される電子部品３として、例えば、制御ユニット９、サブディスプレイ５２の本体部材５３、メインディスプレイ５１の本体部材５５等を含む。サブディスプレイ５２の本体部材５３、メインディスプレイ５１の本体部材５５は、第１筐体２１の内部の防水空間１０に内蔵され防水される。制御ユニット９は、第２筐体２２の内部の防水空間に内蔵され防水される。
【００２８】
この携帯電子機器１は、上記のように筐体２が防水構造を有し、筐体２内部の密閉性が高いことから、図４、図５、図６に示すように、この筐体２の内部の気圧と外部の気圧との気圧差の調整を行うために調整部１００を備える。
【００２９】
そして、本実施形態の調整部１００は、連通路１０１と、膜１０２とを有し、連通路１０１が筐体２を構成する第１部材とこの第１部材に隣接する第２部材との境界に設けられることで、適正に筐体２の内圧を調整することができるようにしている。
【００３０】
本実施形態の調整部１００は、一例として、第１筐体２１に設けられるものとして説明する。連通路１０１は、筐体２をなすこの第１筐体２１の内部の防水空間１０と第１筐体２１の外部とを連通する。連通路１０１は、第１筐体２１の外部側に開口する外部開口１０３と、第１筐体２１の内部側に開口する内部開口１０４とを有する。連通路１０１は、外部開口１０３側から内部開口１０４側に、あるいは、内部開口１０４側から外部開口１０３側に、空気（気体）が流通可能である。
【００３１】
そして、本実施形態の連通路１０１は、第１部材としての筐体部材２３と、この筐体部材２３に隣接する第２部材としての本体部材５３、カバー部材５４との境界に設けられる。筐体部材２３は、第１筐体２１を構成する部材であり、より詳細には、第１筐体２１の正面２１Ａを構成するフロントケース２３Ａと、第１筐体２１の背面２１Ｂを構成するリアケース２３Ｂとを含んで構成される。つまりここでは、第１筐体２１を構成する筐体部材２３は、厚み方向に対して正面２１Ａを構成するフロントケース２３Ａと背面２１Ｂを構成するリアケース２３Ｂとに分割されている。フロントケース２３Ａとリアケース２３Ｂとは、互いに対向して係合し、その隙間が水密構造となっている。本体部材５３及びカバー部材５４は、上述したように露出部品である表示装置５、ここではサブディスプレイ５２の一部を構成するものである。
【００３２】
ここでは、連通路１０１は、第１部材としてのリアケース２３Ｂと本体部材５３、カバー部材５４との境界に設けられ、言い換えれば、リアケース２３Ｂと本体部材５３、カバー部材５４とによって区画される。つまり、連通路１０１は、露出部品であるサブディスプレイ５２の周囲に設けられる。そして、連通路１０１は、筐体外部側の外部開口１０３が第１筐体２１の閉じ合わせ面とは反対側の面、すなわち、背面２１Ｂに設けられ、この外部開口１０３がリアケース２３Ｂとカバー部材５４との境界に沿って延在するようにして設けられる（図４参照）。連通路１０１の外部開口１０３は、サブディスプレイ５２のカバー部材５４の縁に沿って延在する。
【００３３】
また、連通路１０１は、露出部品であるサブディスプレイ５２を挟んでレシーバ８とは反対側に設けられ、内部開口１０４がサブディスプレイ５２を挟んでレシーバ８とは反対側に設けられる（図５、図６参照）。言い換えれば、連通路１０１は、第２部材である本体部材５３、カバー部材５４を挟んでレシーバ８とは反対側に設けられる。これにより、連通路１０１の内部開口１０４は、音響装置であるレシーバ８から比較的に離れた位置に設けられることになる。
【００３４】
膜１０２は、連通路１０１の内部開口１０４を覆って設けられる。膜１０２は、水などの液体を透過せずかつ空気などの気体を透過するものであり、例えば、多孔質膜、微多孔性膜や微多孔構造材を用いる。膜１０２は、端部が筐体部材２３の内側壁面やサブディスプレイ５２の本体部材５３裏面に防水テープ１０５等によって水密に張り付けられる。調整部１００は、この膜１０２を境界として第１筐体２１の内部の防水空間１０と外部とを隔てて、第１筐体２１の内圧を調整する。
【００３５】
上記のように構成される携帯電子機器１は、例えば、外部環境の変化等に応じて第１筐体２１の内圧と外圧とに圧力差が生じた際には、この圧力差に応じて調整部１００の連通路１０１を外部開口１０３側から内部開口１０４側に、あるいは、内部開口１０４側から外部開口１０３側に空気が流動し、これにより、第１筐体２１の内部の防水空間１０の圧力が外部の圧力と同等に調整される。このとき、調整部１００は、空気が連通路１０１を外部開口１０３側から内部開口１０４側に流動する際には、膜１０２が空気を流通させる一方で水を流通させないことから、第１筐体２１内の防水空間１０への水の侵入を防ぎながら第１筐体２１の内部の防水空間１０の圧力を調整し第１筐体２１内外の圧力差を解消することができる。
【００３６】
そして、調整部１００は、連通路１０１がリアケース２３Ｂと本体部材５３、カバー部材５４との境界に設けられることで、連通路１０１の外部開口１０３をリアケース２３Ｂと本体部材５３、カバー部材５４との境界線と同化させて、目視では判別しにくい位置に配置することができる。よって、調整部１００は、例えば、筐体部材２３に貫通孔を設けてこれを連通路とするような場合と比較して、連通路１０１の外部開口１０３を視覚的に目立たなくすることができるので、デザイン性を向上することができる。
【００３７】
さらに言えば、調整部１００は、連通路１０１をサブディスプレイ５２の周囲に設けて、外部開口１０３をリアケース２３Ｂと本体部材５３、カバー部材５４と境界に沿って延在させて設けることで、外部開口１０３の開口面積や連通路１０１の通路面積を相対的に大きくしても、連通路１０１を視覚的に目立たなくすることができるので、デザイン性を確保しつつ、調圧性能を向上することができる。つまり、調整部１００は、良好な調圧性能を確保するために外部開口１０３の開口面積や連通路１０１の通路面積を相対的に大きくしても、デザイン性が損なわれることを抑制することができる。
【００３８】
すなわち、調整部１００は、連通路１０１をリアケース２３Ｂと本体部材５３、カバー部材５４との境界線と視覚的に同化させつつ、開口面積、通路面積を相対的に大きく設定することで、空気が連通路１０１を通過する際の圧力損失を抑制することができると共に、内圧調整のための膜１０２の有効面積も相対的に大きく確保することができる。この結果、調整部１００は、第１筐体２１の外圧の変動に対して第１筐体２１の防水空間１０の内圧の追従性、即応性を向上することができ、短時間で第１筐体２１の内部の圧力を適正な圧力に調節し終えることができる。
【００３９】
これにより、携帯電子機器１は、例えば、レシーバ８等の音響装置が動作中である場合には、音が小さい、歪むといった問題が生じることを抑制することができる。例えば、携帯電子機器１は、外部から押された場合や、水中、高所、機内等で内気圧が上がった場合に、気圧調整が機能し終えるまでの時間で気圧による影響を受けるようなデバイス、例えば、レシーバ８等の音響装置などにおいて、振動板が気圧によって音響負荷を受けてしまうというような問題も軽減することができ、音響装置への悪影響を抑制することができる。
【００４０】
また、調整部１００は、連通路１０１をリアケース２３Ｂと本体部材５３、カバー部材５４との境界線と視覚的に同化させることができることから、例えば、外部開口１０３を視覚的に隠すための外部部材を別個に設けることなく、連通路１０１を目立たなくすることができるので、携帯電子機器１を構成する部品点数を抑制し製造コストの増加を抑制しつつ、デザイン性と調圧性能とを両立することができる。
【００４１】
さらに、調整部１００は、不透明部材であるリアケース２３Ｂと、透明部材であるカバー部材５４との境界に連通路１０１の外部開口１０３を設けることができることから、より効果的に連通路１０１をリアケース２３Ｂと本体部材５３、カバー部材５４との境界線と視覚的に同化させることができる。
【００４２】
そして、携帯電子機器１は、連通路１０１の外部開口１０３が第１筐体２１の背面２１Ｂに設けられることから、例えば、第１筐体２１と第２筐体２２とが閉位置となった状態であっても、外部開口１０３が閉塞しにくい構成とすることができるので、より確実に調整部１００によって第１筐体２１の内部の圧力を調整することができる。また、携帯電子機器１は、外部開口１０３が第１筐体２１の背面２１Ｂ側に設けられることから、この点でも連通路１０１を視覚的に目立たなくすることができる。
【００４３】
さらに、携帯電子機器１は、連通路１０１の内部開口１０４がサブディスプレイ５２を挟んでレシーバ８とは反対側に設けられることから、内部開口１０４と音響装置であるレシーバ８との間隔を十分に確保することができる。この結果、携帯電子機器１は、例えば、内部開口１０４からの空気が音響装置であるレシーバ８の近傍に到達してしまうことを防止することができ、例えば、内部開口１０４からの空気がレシーバ８から発する音声を打ち消して音圧が劣化することを抑制することができる。
【００４４】
この結果、携帯電子機器１は、デザイン性と調圧性能とを両立することができ、適正に筐体２の内圧を調整することができる。言い換えれば、携帯電子機器１は、デザイン性を重視するがために、調整部１００において十分な調圧性能を発揮することができなくなることを防止することができる。
【００４５】
以上で説明した実施形態に係る調整部１００によれば、筐体２の内部の防水空間１０と筐体２の外部とを連通する連通路１０１と、連通路１０１の筐体２内部側の内部開口１０４を覆って設けられ液体を透過せずかつ気体を透過する膜１０２とを備え、連通路１０１は、筐体２を構成する筐体部材２３、ここでは、リアケース２３Ｂとこのリアケース２３Ｂに隣接する本体部材５３、カバー部材５４との境界に設けられる。以上で説明した実施形態に係る携帯電子機器１によれば、電子部品３を内部の防水空間１０に内蔵する筐体２と、筐体２を構成する筐体部材２３、ここでは、リアケース２３Ｂとこのリアケース２３Ｂに隣接し少なくとも一部が筐体２の外部に露出するカバー部材５４との境界に沿って延設され筐体２の内部の防水空間１０と筐体２の外部とを連通する連通路１０１、及び、この連通路１０１の筐体２内部側の内部開口１０４を覆って設けられ液体を透過せずかつ気体を透過する膜１０２を有する調整部１００と、を備える。したがって、調整部１００、携帯電子機器１は、適正に筐体２の内圧を調整することができる。
【００４６】
なお、上述した本発明の実施形態に係る携帯電子機器及び内圧調整機構は、上述した実施形態に限定されず、特許請求の範囲に記載された範囲で種々の変更が可能である。
【００４７】
以上の説明では、筐体は、閉じ合わせ可能な２つの筐体、すなわち、第１筐体及び第２筐体を含んで構成されるものとして説明したが、３つ以上を含んで構成されてもよいし、１つで構成されてもよい。
【００４８】
以上の説明では、内圧調整機構は、第１筐体２１に設けられるものとして説明したが第２筐体２２に設けられてもよい。
【００４９】
以上で説明した第２部材は、メインディスプレイ５１を構成する部材であってもよく、すなわち、連通路は、第１筐体２１の正面２１Ａを構成する部材と露出部品であるメインディスプレイ５１を構成する本体部材５５、カバー部材５６との境界に設けられ、筐体外部側の外部開口が第１筐体２１の正面２１Ａに設けられてもよい。つまり、連通路は、第１部材としてのフロントケース２３Ａと、このフロントケース２３Ａに隣接する第２部材としての本体部材５５、カバー部材５６との境界に設けられてもよい。
【００５０】
以上で説明した第２部材は、表示装置５以外の他の露出部品、例えば、操作部６の操作キー６１であってもよく、すなわち、連通路は、第２筐体２２の正面２２Ａを構成する部材と、操作キー６１を構成する部材との境界に設けられてもよい。
【００５１】
以上で説明した携帯電子機器１の筐体は、折り畳み式の構造に限定されるものではない。例えば、携帯電子機器１の筐体は、両方の筐体を閉じ合わせた状態、言い換えれば、重ね合わせた状態から一方の筐体（第１筐体）と他方の筐体（第２筐体）とを互いにスライドできるようにしたスライド式の筐体であってもよいし、重ね合わせ方向に沿う軸線を中心に、一方の筐体を回転させるようにした回転式や、２軸ヒンジを介して両方の筐体を連結したものでもよい。 
【産業上の利用可能性】
【００５２】
以上のように、本発明に係る携帯電子機器及び内圧調整機構は、種々の携帯電子機器及び内圧調整機構に適用して好適である。
【符号の説明】
【００５３】
１    携帯電子機器
２    筐体
３    電子部品
４    ヒンジ部
５    表示装置（露出部品）
６    操作部
７    マイク（音響部品）
８    レシーバ（音響部品）
９    制御ユニット（電子部品）
１０    防水空間
２１    第１筐体
２１Ａ、２２Ａ    正面
２１Ｂ、２２Ｂ    背面
２２    第２筐体
２３    筐体部材（第１部材）
２３Ａ    フロントケース
２３Ｂ    リアケース（第１部材）
５１    メインディスプレイ（露出部品、主表示装置、表示装置）
５１ａ、５２ａ    表示面
５２    サブディスプレイ（露出部品、副表示装置、表示装置）
５３、５５    本体部材（第２部材、電子部品）
５４、５６    カバー部材（第２部材、透明部材）
６１    操作キー（露出部品）
１００    調整部（内圧調整機構）
１０１    連通路
１０２    膜（例えば微多孔性膜）
１０３    外部開口
１０４    内部開口
１０５    防水テープ
【図１】
0005582908.tif 000002
【図２】
0005582908.tif 000003
【図３】
0005582908.tif 000004
【図４】
0005582908.tif 000005
【図５】
0005582908.tif 000006
【図６】
0005582908.tif 000007